(57)【要約】【課題】離れた現場にいる個々の作業員の現在位置および作業情報を作業管理者および作業員相互間で共有するための作業情報送信技術を提供する。【解決手段】親機１１１と子機１１２とが着脱可能に構成された情報端末１１０において、親機１１１と子機１１２の接続時は、子機１１２の所定機能を停止させて、親機１１１側で親機１１１の位置情報に、利用者詳細情報を反映させた位置情報を生成して所定送信先へ送信し、親機１１１と子機１１２の接続解除時は、子機１１２側で子機１１２の位置情報に、利用者詳細情報を反映させるとともに、子機１１２側から入力された作業情報を紐付けした作業情報を生成して所定送信先へ送信する。【選択図】図５
2020009019.tif 000002
【特許請求の範囲】
【請求項１】
通信手段、入力操作手段、格納手段を備え、ナビゲーション機能を有する親機コンピュータと、通信手段、入力操作手段を備え、ナビゲーション機能を有する子機コンピュータと、が着脱可能に構成された情報端末が、
前記親機コンピュータと前記子機コンピュータとを接続し、前記親機コンピュータから送られた制御信号を受信した前記子機コンピュータが自機の所定機能を停止させる子機コンピュータ機能停止工程と、
前記親機コンピュータの入力操作手段から入力された利用者特定情報に基づき前記親機コンピュータの格納手段に格納されたデータから前記情報端末の利用者詳細情報を取得する利用者詳細情報取得工程と、
前記親機コンピュータ側においてナビゲーション処理を実行する第１ナビゲーション処理工程と、
前記第１ナビゲーション処理工程で取得された前記親機コンピュータの位置情報に、前記利用者詳細情報取得工程で取得された利用者詳細情報を反映させた位置情報を生成し、所定の送信先へ送信する位置情報生成・送信工程と、
前記親機コンピュータと前記子機コンピュータとの接続を解除して、前記親機コンピュータの機能を停止させ、前記子機コンピュータ側においてナビゲーション処理を実行する第２ナビゲーション処理工程と、
前記第２ナビゲーション処理工程で取得された前記子機コンピュータの位置情報に、前記利用者詳細情報取得工程で取得された利用者詳細情報を反映させるとともに、前記子機コンピュータの入力操作手段から入力された作業情報を紐付けした作業情報を生成し、所定の送信先へ送信する作業情報生成・送信工程と、
を実行することを特徴とする作業情報通信方法。
【請求項２】
前記利用者詳細情報取得工程で取得される情報は、利用者の氏名、携帯電話番号、メールアドレス、所属営業所、前記親機コンピュータが搭載された車両情報を含むことを特徴とする請求項１に記載の作業情報通信方法。
【請求項３】
前記作業情報生成・送信工程で生成される作業情報は、作業の内容とともに、作業の進捗状況を含むことを特徴とする請求項１または２に記載の作業情報通信方法。
【請求項４】
通信手段、表示手段を備えた第２の親機コンピュータと、通信手段、表示手段を備えた第２の子機コンピュータと、が着脱可能に構成された第２の情報端末が、
前記第２の親機コンピュータと前記第２の子機コンピュータとを接続し、前記第２の親機コンピュータから送られた制御信号を受信した前記第２の子機コンピュータが自機の所定機能を停止させる第２の子機コンピュータ機能停止工程と、
前記位置情報生成・送信工程で生成・送信された位置情報、または前記作業情報生成・送信工程で生成・送信された作業情報を、前記第２の親機コンピュータの表示手段に表示する第１作業情報表示工程と、
を実行することを特徴とする請求項１〜３のいずれか一つに記載の作業情報通信方法。
【請求項５】
前記第２の情報端末が、
前記第２の親機コンピュータと前記第２の子機コンピュータとの接続を解除して、前記第２の親機コンピュータの機能を停止させ、前記位置情報生成・送信工程で生成・送信された位置情報、または前記作業情報生成・送信工程で生成・送信された作業情報を、前記第２の子機コンピュータの表示手段に表示する第２作業情報表示工程、
を実行することを特徴とする請求項４に記載の作業情報通信方法。
【請求項６】
通信手段、入力操作手段、格納手段を備え、ナビゲーション機能を有する親機コンピュータと、通信手段、入力操作手段を備え、ナビゲーション機能を有する子機コンピュータと、が着脱可能に構成された情報端末に、
前記親機コンピュータと前記子機コンピュータとを接続し、前記親機コンピュータから送られた制御信号を受信した前記子機コンピュータが自機の所定機能を停止させる子機コンピュータ機能停止工程と、
前記親機コンピュータの入力操作手段から入力された利用者特定情報に基づき前記親機コンピュータの格納手段に格納されたデータから前記情報端末の利用者詳細情報を取得する利用者詳細情報取得工程と、
前記親機コンピュータ側においてナビゲーション処理を実行する第１ナビゲーション処理工程と、
前記第１ナビゲーション処理工程で取得された前記親機コンピュータの位置情報に、前記利用者詳細情報取得工程で取得された利用者詳細情報を反映させた位置情報を生成し、所定の送信先へ送信する位置情報生成・送信工程と、
前記親機コンピュータと前記子機コンピュータとの接続を解除して、前記親機コンピュータの機能を停止させ、前記子機コンピュータ側においてナビゲーション処理を実行する第２ナビゲーション処理工程と、
前記第２ナビゲーション処理工程で取得された前記子機コンピュータの位置情報に、前記利用者詳細情報取得工程で取得された利用者詳細情報を反映させるとともに、前記子機コンピュータの入力操作手段から入力された作業情報を紐付けした作業情報を生成し、所定の送信先へ送信する作業情報生成・送信工程と、
を実行させることを特徴とする作業情報通信プログラム。
【請求項７】
親機と子機とが着脱自在に構成された情報端末であって、
前記親機は、
前記子機との接続時に、前記子機に対して前記子機の所定機能を停止させるための制御信号を発する制御手段と、
各種情報を表示する表示手段と、
利用者特定情報の入力を受け付ける入力操作手段と、
各種プログラムや各種データ等を格納する格納手段と、
前記入力操作手段から入力された利用者特定情報に基づき前記格納手段に格納されたデータから前記情報端末の利用者詳細情報を取得する利用者詳細情報取得手段と、
ナビゲーション処理を実行する第１ナビゲーション処理手段と、
前記第１ナビゲーション処理手段で取得された前記親機の位置情報に、前記利用者詳細情報取得手段で取得された利用者詳細情報を反映させた位置情報を生成する位置情報生成手段と、
前記親機外の各種機器との通信を制御する通信手段と、
を備え、
前記子機は、
前記親機から送信された制御信号の受信・不受信を確認する制御信号受信手段と、
前記制御信号受信手段が前記親機からの制御信号の受信を確認した場合に限り前記子機の所定機能を停止させる制御手段と、
ナビゲーション処理を実行する第２ナビゲーション処理手段と、
各種情報を表示する表示手段と、
作業情報の入力を受け付ける入力操作手段と、
前記第２ナビゲーション処理手段で取得された前記子機の位置情報に、前記利用者詳細情報取得手段で取得された利用者詳細情報を反映させるとともに、前記入力操作手段から入力された作業情報を紐付けした作業情報を生成する作業情報生成手段と、
前記子機外の各種機器との通信を制御する通信手段と、
を備えたことを特徴とする情報端末。
【請求項８】
さらに、前記親機は、
前記子機の所定機能停止時に受信した他の情報端末からの位置情報、または作業情報を前記表示手段に所定の形式で表示させる作業情報表示制御手段を備え、
前記子機は、
前記親機からの制御信号の不受信時に、受信した他の情報端末からの位置情報、または作業情報を前記表示手段に所定の形式で表示させる作業情報表示制御手段を備えたことを特徴とする請求項７に記載の情報端末。
【発明の詳細な説明】
【技術分野】
【０００１】
本発明は、作業情報通信方法、作業情報通信プログラム、および情報端末に関する。
【背景技術】
【０００２】
近年、業務の効率化を支援する種々の技術が提案されている。その一つとして、社員が所持する携帯端末の位置情報およびその取得時刻情報をデータベースに登録すると共に、位置情報およびその取得時刻情報を社員の業務スケジュールデータと比較して社員が所定の時刻に所定の場所で所定の業務を実施しようとしているかどうかを判断し、判断結果に基づいて社員が所定の業務を実施するために必要な業務支援データをデータベースから読み出して携帯端末に提供する業務支援システムに関する技術がある（たとえば、特許文献１を参照。）。
【先行技術文献】
【特許文献】
【０００３】
【特許文献１】特許第６０６２０８６号公報
【発明の概要】
【発明が解決しようとする課題】
【０００４】
ところで、一般に、電力施設の保守・点検、配電線施設の事故巡視・復旧、災害復旧等の作業を行う際、作業を行う設備、作業項目、作業日、作業員等が計画され、各作業員は、その計画に基づいた作業を行う。そして、各作業員は、当該作業が終了すると、作業を行った施設、作業員、作業結果等の報告を行う。
【０００５】
営業所全体で担当する作業の効率化を図るためには、個々の作業員が行う作業の効率化のみならず、作業管理者が、個々の作業員の作業の進捗状況を即時把握して、作業に遅れや障害が出ている施設等の作業計画の変更や対処を図り、場合によって当該施設への追加人員の派遣も必要になる。さらに、各作業員の作業の進捗状況は、作業管理者だけに限らず、作業員相互間でも共有することが、作業に遅れや障害が生じた場合への対処や応援といったことを考慮した場合、より営業所全体で担当する作業の効率化に資する。
【０００６】
しかしながら、特許文献１に記載の技術は、予め定められた各作業員の担当業務の効率化を支援することは可能であるが、作業管理者が、個々の作業員の作業の進捗状況を即時に把握することはできず、また離れた現場にいる作業員相互間においても互いの作業の進捗状況を把握することができない。したがって、特許文献１に記載の技術では、作業に遅れや障害が出ている場合に迅速な対処を行うことはできず、営業所全体で担当する業務の効率化を図ることは不可能であるという問題がある。
【０００７】
本発明は、上述した従来技術による問題点を解消するため、離れた現場にいる個々の作業員の現在位置および作業情報を作業管理者および作業員相互間で共有するための作業情報送信技術を提供することを目的とする。また、離れた現場にいる個々の作業員の現在位置および作業情報を作業管理者および作業員相互間で共有するための作業情報受信技術を提供することを目的とする。
【課題を解決するための手段】
【０００８】
上述した課題を解決し、目的を達成するため、この発明にかかる作業情報通信方法は、通信手段、入力操作手段、格納手段を備え、ナビゲーション機能を有する親機コンピュータと、通信手段、入力操作手段を備え、ナビゲーション機能を有する子機コンピュータと、が着脱可能に構成された情報端末が、前記親機コンピュータと前記子機コンピュータとを接続し、前記親機コンピュータから送られた制御信号を受信した前記子機コンピュータが自機の所定機能を停止させる子機コンピュータ機能停止工程と、前記親機コンピュータの入力操作手段から入力された利用者特定情報に基づき前記親機コンピュータの格納手段に格納されたデータから前記情報端末の利用者詳細情報を取得する利用者詳細情報取得工程と、前記親機コンピュータ側においてナビゲーション処理を実行する第１ナビゲーション処理工程と、前記第１ナビゲーション処理工程で取得された前記親機コンピュータの位置情報に、前記利用者詳細情報取得工程で取得された利用者詳細情報を反映させた位置情報を生成し、所定の送信先へ送信する位置情報生成・送信工程と、前記親機コンピュータと前記子機コンピュータとの接続を解除して、前記親機コンピュータの機能を停止させ、前記子機コンピュータ側においてナビゲーション処理を実行する第２ナビゲーション処理工程と、前記第２ナビゲーション処理工程で取得された前記子機コンピュータの位置情報に、前記利用者詳細情報取得工程で取得された利用者詳細情報を反映させるとともに、前記子機コンピュータの入力操作手段から入力された作業情報を紐付けした作業情報を生成し、所定の送信先へ送信する作業情報生成・送信工程と、を実行することを特徴とする。
【０００９】
また、この発明にかかる作業情報通信方法は、上記の発明において、前記利用者詳細情報取得工程で取得される情報が、利用者の氏名、携帯電話番号、メールアドレス、所属営業所、前記親機コンピュータが搭載された車両情報を含むことを特徴とする。
【００１０】
また、この発明にかかる作業情報通信方法は、上記の発明において、前記作業情報生成・送信工程で生成される作業情報が、作業の内容とともに、作業の進捗状況を含むことを特徴とする。
【００１１】
また、この発明にかかる作業情報通信方法は、上記の発明において、通信手段、表示手段を備えた第２の親機コンピュータと、通信手段、表示手段を備えた第２の子機コンピュータと、が着脱可能に構成された第２の情報端末が、前記第２の親機コンピュータと前記第２の子機コンピュータとを接続し、前記第２の親機コンピュータから送られた制御信号を受信した前記第２の子機コンピュータが自機の所定機能を停止させる第２の子機コンピュータ機能停止工程と、前記位置情報生成・送信工程で生成・送信された位置情報、または前記作業情報生成・送信工程で生成・送信された作業情報を、前記第２の親機コンピュータの表示手段に表示する第１作業情報表示工程と、を実行することを特徴とする。
【００１２】
また、この発明にかかる作業情報通信方法は、上記の発明において、前記第２の情報端末が、前記第２の親機コンピュータと前記第２の子機コンピュータとの接続を解除して、前記第２の親機コンピュータの機能を停止させ、前記位置情報生成・送信工程で生成・送信された位置情報、または前記作業情報生成・送信工程で生成・送信された作業情報を、前記第２の子機コンピュータの表示手段に表示する第２作業情報表示工程、を実行することを特徴とする。
【００１３】
また、この発明にかかる作業情報通信プログラムは、通信手段、入力操作手段、格納手段を備え、ナビゲーション機能を有する親機コンピュータと、通信手段、入力操作手段を備え、ナビゲーション機能を有する子機コンピュータと、が着脱可能に構成された情報端末に、前記親機コンピュータと前記子機コンピュータとを接続し、前記親機コンピュータから送られた制御信号を受信した前記子機コンピュータが自機の所定機能を停止させる子機コンピュータ機能停止工程と、前記親機コンピュータの入力操作手段から入力された利用者特定情報に基づき前記親機コンピュータの格納手段に格納されたデータから前記情報端末の利用者詳細情報を取得する利用者詳細情報取得工程と、前記親機コンピュータ側においてナビゲーション処理を実行する第１ナビゲーション処理工程と、前記第１ナビゲーション処理工程で取得された前記親機コンピュータの位置情報に、前記利用者詳細情報取得工程で取得された利用者詳細情報を反映させた位置情報を生成し、所定の送信先へ送信する位置情報生成・送信工程と、前記親機コンピュータと前記子機コンピュータとの接続を解除して、前記親機コンピュータの機能を停止させ、前記子機コンピュータ側においてナビゲーション処理を実行する第２ナビゲーション処理工程と、前記第２ナビゲーション処理工程で取得された前記子機コンピュータの位置情報に、前記利用者詳細情報取得工程で取得された利用者詳細情報を反映させるとともに、前記子機コンピュータの入力操作手段から入力された作業情報を紐付けした作業情報を生成し、所定の送信先へ送信する作業情報生成・送信工程と、を実行させることを特徴とする。
【００１４】
また、この発明にかかる情報端末は、親機と子機とが着脱自在に構成された情報端末であって、前記親機が、前記子機との接続時に、前記子機に対して前記子機の所定機能を停止させるための制御信号を発する制御手段と、各種情報を表示する表示手段と、利用者特定情報の入力を受け付ける入力操作手段と、各種プログラムや各種データ等を格納する格納手段と、前記入力操作手段から入力された利用者特定情報に基づき前記格納手段に格納されたデータから前記情報端末の利用者詳細情報を取得する利用者詳細情報取得手段と、ナビゲーション処理を実行する第１ナビゲーション処理手段と、前記第１ナビゲーション処理手段で取得された前記親機の位置情報に、前記利用者詳細情報取得手段で取得された利用者詳細情報を反映させた位置情報を生成する位置情報生成手段と、前記親機外の各種機器との通信を制御する通信手段と、を備え、前記子機が、前記親機から送信された制御信号の受信・不受信を確認する制御信号受信手段と、前記制御信号受信手段が前記親機からの制御信号の受信を確認した場合に限り前記子機の所定機能を停止させる制御手段と、ナビゲーション処理を実行する第２ナビゲーション処理手段と、各種情報を表示する表示手段と、作業情報の入力を受け付ける入力操作手段と、前記第２ナビゲーション処理手段で取得された前記子機の位置情報に、前記利用者詳細情報取得手段で取得された利用者詳細情報を反映させるとともに、前記入力操作手段から入力された作業情報を紐付けした作業情報を生成する作業情報生成手段と、前記子機外の各種機器との通信を制御する通信手段と、を備えたことを特徴とする。
【００１５】
また、この発明にかかる情報端末は、上記の発明において、さらに、前記親機が、前記子機の所定機能停止時に受信した他の情報端末からの位置情報、または作業情報を前記表示手段に所定の形式で表示させる作業情報表示制御手段を備え、前記子機が、前記親機からの制御信号の不受信時に、受信した他の情報端末からの位置情報、または作業情報を前記表示手段に所定の形式で表示させる作業情報表示制御手段を備えたことを特徴とする。
【発明の効果】
【００１６】
本発明によれば、離れた現場にいる個々の作業員の現在位置および作業情報を作業管理者および作業員相互間で共有して、営業所全体で担当する業務の効率化を図ることができるという効果を奏する。
【図面の簡単な説明】
【００１７】
【図１】本発明を実現するためのネットワーク構成の概略図である。
【図２】親機１１１のハードウェア構成の一例を示すブロック図である。
【図３】子機１１２のハードウェア構成の一例を示すブロック図である。
【図４】本発明にかかる情報端末を作業情報送信端末として使用する場合の機能的構成を示すブロック図である。
【図５】本発明の情報端末における作業情報送信処理の手順を示すフローチャートである。
【図６】表示部４０６に表示される情報入力画面の一例を示す図である。
【図７】表示部４１６に表示される作業情報入力画面の一例を示す図である。
【図８】本発明にかかる情報端末を作業情報受信端末として使用する場合の機能的構成を示すブロック図である。
【図９】本発明の情報端末における作業情報受信処理の手順を示すフローチャートである。
【図１０】表示される作業情報画面の一例を示す図である。
【図１１】ホストコンピュータ１２０のハードウェア構成例を示すブロック図である。
【図１２】本発明にかかる情報端末から送信された作業情報を受信するホストコンピュータ１２０の機能的構成を示すブロック図である。
【発明を実施するための形態】
【００１８】
以下、添付図面を参照して、本発明の好適な実施の形態を詳細に説明する。
【００１９】
図１は、本発明を実現するためのネットワーク構成の概略図である。本発明は、ネットワーク１００に接続可能な複数の情報端末１１０と、ホストコンピュータ１２０と、により実現できる。ネットワーク１００としては、たとえば、インターネット、ＬＡＮ、ＷＡＮ（Ｗｉｄｅ  Ａｒｅａ  Ｎｅｔｗｏｒｋ）などが想定される。情報端末１１０は、電力施設の保守・点検、配電線施設の事故巡視・復旧、災害復旧等の作業を行う作業員が使用する。ホストコンピュータ１２０は、作業員が行う作業全般の管理を行う営業所に在所する作業管理者が使用する。
【００２０】
情報端末１１０は、親機１１１と子機１１２と、からなり、子機１１２は親機１１１に対して着脱可能な構成になっている。１つの親機１１１に対して複数の子機１１２を着脱可能である。親機１１１としては、作業員が営業所から作業現場までの移動や作業現場から営業所への帰所に使用する作業車に搭載される通信機能を備えたナビゲーション装置を想定している。子機１１２としては、各作業員が携帯するスマートフォン、携帯電話、携帯タブレットなどを想定している。子機１１２も親機１１１と同様ナビゲーション機能を備えている。
【００２１】
情報端末１１０は、営業所を離れた作業員の現在位置や作業内容、作業の開始、作業中、作業終了といった作業情報を他の作業員が有する情報端末１１０やホストコンピュータ１２０へ向けて送信する作業情報送信装置としての機能を有する。
【００２２】
各作業員は作業現場へ向かうとき、まず乗車する作業車に搭載されている親機１１１に各自が携帯する子機１１２を接続する。作業員が作業車に乗車しているときは移動中であり、作業員は特に報告すべき作業は行っていないので、情報端末１１０は、子機１１２が親機１１１に接続された状態では、親機１１１が搭載された作業車の位置情報および搭乗中の作業員情報のみを配信する。
【００２３】
そして、作業現場に到着後に作業開始となるため、作業員は各自の子機１１２を親機１１１から取り外すことになる。子機１１２が親機１１１との接続を解除された状態では、子機１１２が単独で各作業員の現在位置や作業内容、作業の開始、作業中、作業終了といった作業情報を送信する。
【００２４】
さらに、所定の作業が終了した後は、作業員は作業車へ戻り、再度子機１１２を親機１１１と接続する。このときも、作業は行われないので、親機１１１が搭載された作業車の位置情報および搭乗中の作業員情報のみを送信する。
【００２５】
一方、情報端末１１０は、他の作業者が有する情報端末１１０から配信された作業情報を受信する作業情報受信端末としての機能も合わせもつ。作業員が作業車に乗車中は、子機１１２が接続された親機１１１に他の作業員の現在位置や作業内容、作業の開始、作業中、作業終了といった作業情報が表示される。また、作業員が車外にいるときは、作業員が各自携帯する子機１１２に離れた現場にいる作業員の作業情報等が表示される。
【００２６】
以上のように、本発明では、作業員が、作業車に乗車中は子機１１２が接続された親機１１１で、車外にいる場合は親機１１１との接続が解除された子機１１２で情報の送受信を行う。以下、本発明にかかる好適な実施の形態について詳細に説明する。なお、本発明は、以下に示す実施の形態に限定されるものではない。
【００２７】
（情報端末１１０のハードウェア構成）
まず、情報端末１１０のハードウェア構成について説明する。情報端末１１０は、親機１１１と子機１１２とにより構成される。親機１１１は、作業車に搭載される、通信機能を備えたナビゲーション装置を想定している。子機１１２は、各作業員が携帯する、スマートフォン、携帯電話、携帯タブレットなどを想定している。そこで、まず、親機１１１のハードウェア構成を説明する。
【００２８】
（親機１１１のハードウェア構成）
図２は、親機１１１のハードウェア構成の一例を示すブロック図である。図２において、親機１１１は、ＣＰＵ２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、磁気ディスクドライブ２０４と、磁気ディスク２０５と、光ディスクドライブ２０６と、光ディスク２０７と、音声Ｉ／Ｆ（Ｉｎｔｅｒｆａｃｅ）２０８と、マイク２０９と、スピーカ２１０と、入力デバイス２１１と、映像Ｉ／Ｆ（Ｉｎｔｅｒｆａｃｅ）２１２と、ディスプレイ２１３と、通信Ｉ／Ｆ（Ｉｎｔｅｒｆａｃｅ）２１４と、ＧＰＳ（Ｇｌｏｂａｌ  Ｐｏｓｉｔｉｏｎｉｎｇ  Ｓｙｓｔｅｍ）ユニット２１５と、各種センサ２１６と、を備えている。なお、各構成部２０１〜２１６はバス２２０によってそれぞれ接続されている。
【００２９】
まず、ＣＰＵ２０１は、親機１１１の全体の制御を司り、本発明を実現するための各種プログラムを実行する。ＲＯＭ２０２は、たとえばブートプログラム、経路探索プログラム、経路誘導プログラム、音声生成プログラム、地図情報表示プログラム、通信プログラム、データベース作成プログラム、データ解析プログラムなどの各種プログラムを記録している。
【００３０】
経路探索プログラムは、光ディスク２０７に記録されている地図情報などを利用して、出発地から目的地までの最適な経路を探索させる。この経路探索プログラムを実行することによって探索された誘導経路は、たとえばＣＰＵ２０１を介して音声Ｉ／Ｆ２０８や映像Ｉ／Ｆ２１２へ出力される。
【００３１】
また、経路誘導プログラムは、上述した経路探索プログラムを実行することによって探索された誘導経路情報、通信Ｉ／Ｆ２１４によって取得された親機１１１の現在位置、光ディスク２０７から読み出された地図情報に基づいて、リアルタイムな経路誘導情報の生成を行わせる。経路誘導プログラムを実行することによって生成された経路誘導情報は、たとえばＣＰＵ２０１を介して音声Ｉ／Ｆ２０８や映像Ｉ／Ｆ２１２へ出力される。
【００３２】
また、音声生成プログラムは、音声パターンに対応したトーンと音声の情報を生成させる。すなわち、経路誘導プログラムを実行することによって生成された経路誘導情報に基づいて、案内ポイントに対応した仮想音源の設定と音声ガイダンス情報の生成を行い、たとえばＣＰＵ２０１を介して音声Ｉ／Ｆ２０８へ出力する。
【００３３】
また、地図情報表示プログラムは、映像Ｉ／Ｆ２１２によってディスプレイ２１３に表示する地図情報の表示形式を決定させ、決定された表示形式によって地図情報をディスプレイ２１３に表示させる。
【００３４】
ＲＡＭ２０３は、たとえばＣＰＵ２０１のワークエリアとして使用される。磁気ディスクドライブ２０４は、ＣＰＵ２０１の制御にしたがって磁気ディスク２０５に対するデータのリード／ライトを制御する。磁気ディスク２０５は、磁気ディスクドライブ２０４の制御で書き込まれたデータを記録する。
【００３５】
磁気ディスクドライブ２０４は、具体的には、たとえば、上述した報知プログラムによって生成された警告音声を、音声データとして磁気ディスク２０５に記録する。そして、磁気ディスク２０５としては、たとえば、ハードディスクやフレキシブルディスクを用いることができる。
【００３６】
光ディスクドライブ２０６は、ＣＰＵ２０１の制御にしたがって光ディスク２０７に対するデータのリード／ライトを制御する。光ディスク２０７は、光ディスクドライブ２０６の制御にしたがって光ディスク２０７からデータの読み出される着脱自在な記録媒体である。この光ディスク２０７としては、書き込み可能な記録媒体を利用することもできる。また、着脱可能な記録媒体として、光ディスク２０７のほか、ＭＯ、メモリカードなどを用いることもできる。
【００３７】
これら磁気ディスク２０５、光ディスク２０７に記録される情報の一例として、後述するマイク２０９で得られた車内外の音声、後述のＧＰＳユニット２１５で検出された車両の現在位置を示す位置情報、後述する各種センサ２１６からの出力値などが挙げられる。また、これらの情報は、上述した経路探索プログラムなどに用いられる。
【００３８】
その他、磁気ディスク２０５、光ディスク２０７に記録される情報の一例として、経路探索・経路誘導などに用いる地図情報が挙げられる。地図情報は、建物、河川、地表面などの地物（フィーチャ）を表す背景データと、道路の形状を表す道路形状データとを有しており、ディスプレイ２１３の表示画面において２次元または３次元に描画される。親機１１１が経路誘導中の場合は、地図情報と後述のＧＰＳユニット２１５によって取得された車両の現在位置を示す車両マークとが重ねて表示されることとなる。
【００３９】
道路形状データは、さらに交通条件データを有する。交通条件データには、たとえば、各ノードについて、信号や横断歩道などの有無、高速道路の出入口やジャンクションの有無、各リンクについての長さ（距離）、道幅、進行方向、道路種別（高速道路、有料道路、一般道路など）などの情報が含まれている。
【００４０】
また、交通条件データには、過去の渋滞情報が、季節・曜日・大型連休・時刻などを基準に統計処理した過去渋滞情報として記憶されている。親機１１１は、通信Ｉ／Ｆ２１４によって受信される道路交通情報によって、たとえば現在発生している渋滞の情報を得るが、上述した過去渋滞情報を用いることによって、たとえば指定した時刻における渋滞状況の予想を行うことも可能である。
【００４１】
なお、ここでは、地図情報を磁気ディスク２０５、光ディスク２０７などに記録するようにしたが、これに限るものではない。地図情報は、親機１１１のハードウェアと一体に設けられているものに限って記録されているものではなく、親機１１１の外部に設けられていてもよい。この場合、親機１１１は、たとえば、通信Ｉ／Ｆ２１４を通じて、ネットワークを介して地図情報を取得するようにしてもよい。こうして取得された地図情報は、たとえばＲＡＭ２０３などに記憶される。
【００４２】
また、音声Ｉ／Ｆ２０８は、音声入力用のマイク２０９および音声出力用のスピーカ２１０に接続される。マイク２０９に受音された音声は、音声Ｉ／Ｆ２０８内でＡ／Ｄ変換される。なお、スピーカ２１０は、車両の内部だけでなく、車両の外部に設けられていてもよい。このスピーカ２１０からは、音声Ｉ／Ｆ２０８からの音声信号に基づく音声が出力される。また、マイク２０９から入力された音声は、たとえば音声データとして磁気ディスク２０５あるいは光ディスク２０７に記録可能である。
【００４３】
そして、入力デバイス２１１は、文字、数値、各種指示などの入力のための複数のキーを備えたリモコン、キーボード、マウス、タッチパネルなどが挙げられる。
【００４４】
また、映像Ｉ／Ｆ２１２は、ディスプレイ２１３と接続される。この映像Ｉ／Ｆ２１２は、具体的には、たとえば、ディスプレイ２１３全体の制御を行うグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ２１３を表示制御する制御ＩＣなどによって構成される。
【００４５】
ディスプレイ２１３には、アイコン、カーソル、メニュー、ウインドウ、あるいは文字や画像などの各種データが表示される。このディスプレイ２１３としては、たとえば、ＣＲＴ、ＴＦＴ液晶ディスプレイ、プラズマディスプレイなどを採用することができる。
【００４６】
また、通信Ｉ／Ｆ２１４は、無線を介してネットワークに接続され、親機１１１とＣＰＵ２０１とのインターフェースとして機能する。通信Ｉ／Ｆ２１４は、さらに、無線を介してインターネットなどの通信網に接続され、この通信網とＣＰＵ２０１とのインターフェースとしても機能する。また、通信Ｉ／Ｆ２１４は、子機１１２と接続された場合に、子機１１２とＣＰＵ２０１とのインターフェースとしても機能する。
【００４７】
ネットワークには、インターネット、ＬＡＮ、ＷＡＮ、公衆回線網や携帯電話網などがある。通信Ｉ／Ｆ２１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ：登録商標）／ビーコンレシーバ、無線ナビゲーション装置、およびその他のナビゲーション装置によって構成され、ＶＩＣＳセンターから配信される渋滞や交通規制などの道路交通情報を取得することもできる。
【００４８】
また、ＧＰＳユニット２１５は、ＧＰＳ衛星からの受信波や後述する各種センサ２１６からの出力値を用いて、車両（親機１１１）の現在位置を示す位置情報を算出する。現在位置を示す位置情報は、たとえば、緯度・経度、高度などの地図情報上の１点を特定する情報である。また、ＧＰＳユニット２１５は、各種センサ２１６からの出力値を用いて、オドメーター、速度変化量、方位変化量などを出力する。これにより、急ブレーキ、急ハンドルなどの車両の動態を解析することができる。
【００４９】
各種センサ２１６は、車速センサ、加速度センサ、角速度センサ、方位センサなどであり、その出力値は、ＧＰＳユニット２１５による位置情報の算出や、速度や方位の変化量の測定に用いられる。
【００５０】
また、各種センサ２１６は、ドライバーによる車両の各操作を検知するセンサなどを含む。車両の各操作の検知は、たとえば、ハンドル操作やウインカーの入力、車両のドアの開閉などを検知する構成としてもよい。
【００５１】
（子機１１２のハードウェア構成）
次に、子機１１２のハードウェア構成について説明する。図３は、子機１１２のハードウェア構成の一例を示すブロック図である。図３において、子機１１２は、ＣＰＵ３０１と、ＲＯＭ３０２と、ＲＡＭ３０３と、音声Ｉ／Ｆ３０４と、マイク３０５と、スピーカ３０６と、入力デバイス３０７と、映像Ｉ／Ｆ３０８と、ディスプレイ３０９と、通信Ｉ／Ｆ３１０と、ＧＰＳユニット３１１と、各種センサ３１２と、を備えている。なお、各構成部３０１〜３１２はバス３２０によってそれぞれ接続されている。
【００５２】
まず、ＣＰＵ３０１は、子機１１２の全体の制御を司り、本発明を実現するための各種プログラムを実行する。ＲＯＭ３０２は、たとえばブートプログラム、音声生成プログラム、通信プログラム、データベース作成プログラム、データ解析プログラム、経路探索プログラム、経路誘導プログラム、地図情報表示プログラムなどの各種プログラムを記録している。
【００５３】
ＲＡＭ３０３は、たとえば、各種データの記録媒体として、またはＣＰＵ３０１のワークエリアとして使用される。
【００５４】
経路探索プログラムは、ＲＯＭ３０２に記録されている地図情報などを利用して、出発地から目的地までの最適な経路を探索させる。なお、地図情報は、たとえば、通信Ｉ／Ｆ３１０を通じて、ネットワークを介して取得するようにしてもよい。こうして取得された地図情報は、たとえばＲＡＭ３０３などに記憶される。経路探索プログラムを実行することによって探索された誘導経路は、たとえばＣＰＵ３０１を介して音声Ｉ／Ｆ３０４や映像Ｉ／Ｆ３０８へ出力される。
【００５５】
また、経路誘導プログラムは、上述した経路探索プログラムを実行することによって探索された誘導経路情報、通信Ｉ／Ｆ３１０によって取得された子機１１２の現在位置、ＲＯＭ３０２から読み出された地図情報に基づいて、リアルタイムな経路誘導情報の生成を行わせる。経路誘導プログラムを実行することによって生成された経路誘導情報は、たとえばＣＰＵ３０１を介して音声Ｉ／Ｆ３０４や映像Ｉ／Ｆ３０８へ出力される。
【００５６】
また、音声生成プログラムは、音声パターンに対応したトーンと音声の情報を生成させる。すなわち、経路誘導プログラムを実行することによって生成された経路誘導情報に基づいて、案内ポイントに対応した仮想音源の設定と音声ガイダンス情報の生成を行い、たとえばＣＰＵ３０１を介して音声Ｉ／Ｆ３０４へ出力する。
【００５７】
また、地図情報表示プログラムは、映像Ｉ／Ｆ３０８によってディスプレイ３０９に表示する地図情報の表示形式を決定させ、決定された表示形式によって地図情報をディスプレイ３０９に表示させる。
【００５８】
また、音声Ｉ／Ｆ３０４は、音声入力用のマイク３０５および音声出力用のスピーカ３０６に接続される。マイク３０５に受音された音声は、音声Ｉ／Ｆ３０４内でＡ／Ｄ変換される。このスピーカ３０６からは、音声Ｉ／Ｆ３０４からの音声信号に基づく音声が出力される。また、マイク３０５から入力された音声は、たとえば音声データとしてＲＡＭ３０３に記録可能である。
【００５９】
入力デバイス３０７は、文字、数値、各種指示などの入力のための複数のキーを備えたキーボード、タッチパネルなどが挙げられる。
【００６０】
また、映像Ｉ／Ｆ３０８は、ディスプレイ３０９と接続される。この映像Ｉ／Ｆ３０８は、具体的には、たとえば、ディスプレイ３０９全体の制御を行うグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３０９を表示制御する制御ＩＣなどによって構成される。
【００６１】
ディスプレイ３０９には、アイコン、カーソル、メニュー、ウインドウ、あるいは文字や画像などの各種データが表示される。このディスプレイ３０９としては、たとえば、ＴＦＴ液晶ディスプレイ、有機ＥＬディスプレイなどを採用することができる。
【００６２】
また、通信Ｉ／Ｆ３１０は、無線を介してネットワークに接続され、子機１１２とＣＰＵ３０１とのインターフェースとして機能する。通信Ｉ／Ｆ３１０は、さらに、無線を介してインターネットなどの通信網に接続され、この通信網とＣＰＵ３０１とのインターフェースとしても機能する。また、通信Ｉ／Ｆ３１０は、親機１１１と接続された場合に、親機１１１とＣＰＵ３０１とのインターフェースとしても機能する。ネットワークには、インターネット、ＬＡＮ、ＷＡＮや携帯電話網などがある。
【００６３】
また、ＧＰＳユニット３１１は、ＧＰＳ衛星からの受信波や後述する各種センサ３１２からの出力値を用いて、子機１１２の現在位置を示す位置情報を算出する。現在位置を示す位置情報は、たとえば、緯度・経度、高度などの地図情報上の１点を特定する情報である。また、ＧＰＳユニット３１１は、各種センサ３１２からの出力値を用いて、速度変化量、方位変化量などを出力する。
【００６４】
各種センサ３１２は、加速度センサ、角速度センサ、方位センサなどであり、その出力値は、ＧＰＳユニット３１１による位置情報の算出や、速度や方位の変化量の測定に用いられる。
【００６５】
（作業情報送信端末として使用する場合の機能的構成）
次に、親機１１１と子機１１２とにより構成された情報端末１１０を作業情報送信端末として使用する場合の機能的構成について説明する。図４は、本発明にかかる情報端末を作業情報送信端末として使用する場合の機能的構成を示すブロック図である。
【００６６】
まず、作業情報送信端末として使用する場合の親機１１１の機能的構成を説明する。親機１１１は、制御部４０１と、入力操作部４０２と、利用者詳細情報取得部４０３と、格納部４０４と、ナビゲーション処理部４０５と、表示部４０６と、位置情報生成処理部４０７と、音声出力部４０８と、通信処理部４０９と、を備えている。
【００６７】
制御部４０１は、親機１１１の全体を制御する。また、制御部４０１は、子機１１２との接続を検知した際、子機１１２へ子機１１２の動作を制御するための制御信号の送信、送信断を行う。親機１１１と子機１１２との接続は、たとえばＵＳＢ（Ｕｎｉｖｅｒｓａｌ Ｓｅｒｉａｌ Ｂｕｓ）ケーブルなどでの接続が考えられる。この制御信号は親機１１１が駆動している間、かつ子機１１２との接続が解除されていない間は、常に子機１１２に対して送信される。制御部４０１は、たとえば、図２に示したＣＰＵ２０１により、後述の格納部４０４に格納されたプログラムを実行することによりその機能を実現する。
【００６８】
入力操作部４０２は、各種情報の入力やその訂正、リセットするためのもので、たとえば、図２に示した入力デバイス２１１によりその機能を実現する。
【００６９】
利用者詳細情報取得部４０３は、入力操作部４０２から入力された作業員を特定する情報に基づいて当該作業員の詳細情報を取得する。作業員詳細情報は、格納部４０４に格納されており、入力操作部４０２から入力された情報に基づいて検索することで、作業員の詳細な情報を取得する。ここで、検索できない情報が入力された作業員は親機１１１を利用できないものとすることもできる。作業員を特定する情報は、例えば作業員のＩＤやパスワード、指紋をはじめとする作業員の生体情報などが想定される。ここで取得された利用者詳細情報は、子機１１２へも送信される。利用者詳細情報取得部４０３は、たとえば、図２に示したＣＰＵ２０１がＲＯＭ２０２などに格納されているプログラムを実行して、ＲＯＭ２０２、ＲＡＭ２０３、磁気ディスクドライブ２０４、磁気ディスク２０５などに格納されている各種データを検索することによりその機能を実現する。
【００７０】
格納部４０４は、本発明を実現するための各種プログラムや各種データなどを格納する。格納部４０４は、たとえば、図２に示したＲＯＭ２０２、ＲＡＭ２０３、磁気ディスクドライブ２０４、磁気ディスク２０５などでその機能を実現する。
【００７１】
ナビゲーション処理部４０５は、周知のナビゲーション機能を実行する。ナビゲーション処理部４０５は、たとえば、図２に示したＧＰＳユニット２１５や各種センサ２１６を用いて、ＣＰＵ２０１がＲＯＭ２０２などに格納されたナビゲーションプログラムを実行することによりその機能を実現する。
【００７２】
表示部４０６は、アイコン、カーソル、メニュー、ウインドウ、あるいは文字や画像などの各種データを表示する。表示部４０６は、たとえば、図２に示したディスプレイ２１３によりその機能を実現する。表示部４０６への画像等の表示処理は、制御部４０１が格納部４０４などに格納された所定のプログラムを実行することにより行われる。
【００７３】
位置情報生成処理部４０７は、ネットワークへ送信するための位置情報を生成する。位置情報生成処理部４０７は、たとえば、ナビゲーション処理部４０５で得られた位置情報に、利用者詳細情報取得部４０３で取得された作業員の名前などの情報および乗車中の作業車を特定する情報（作業車ナンバなど）を紐付けした情報を生成する。位置情報生成処理部４０７は、たとえば、図２に示したＣＰＵ２０１がＲＯＭ２０２などに格納されたプログラムを実行することによりその機能を実現する。
【００７４】
音声出力部４０８は、親機１１１が子機１１２と接続されたときに作業員を特定する情報の入力を促したり、ナビゲーション処理部４０５によるナビゲーション処理が実行されたりするときに、作業員へ伝えるべき情報を音声で出力する。音声出力部４０８は、たとえば、図２に示したスピーカ２１０でその機能を実現する。
【００７５】
通信処理部４０９は、親機１１１とネットワークとの通信や、子機１１２との信号線の接続がなされた場合の通信を制御する。通信処理部４０９は、たとえば、図２に示した通信Ｉ／Ｆ２１４でその機能を実現する。
【００７６】
次に、作業情報送信端末として使用する場合の子機１１２の機能的構成を説明する。子機１１２は、制御信号受信部４１１と、制御部４１２と、入力操作部４１３と、格納部４１４と、ナビゲーション処理部４１５と、表示部４１６と、作業情報生成処理部４１７と、音声出力部４１８と、通信処理部４１９と、を備えている。
【００７７】
制御信号受信部４１１は、親機１１１から送信された制御信号を受信する。制御信号受信部４１１は、たとえば、図３に示したＣＰＵ３０１がＲＯＭ３０２などに格納されたプログラムを実行することによりその機能を実現する。
【００７８】
制御部４１２は、子機１１２の全体を制御する。特に、制御信号受信部４１１が親機１１１からの制御信号を受信している間は、子機１１２における作業情報送信端末としての機能を停止する。そして、親機１１１からの制御信号が途絶えると直ちに、作業情報送信端末としての機能を開始する。なお、作業情報送信端末としての機能が停止している間でも通常のスマートフォンとしての機能等は停止しないものとする。制御部４１２は、たとえば、図３に示したＣＰＵ３０１がＲＯＭ２０２などに格納されたプログラムを実行することによりその機能を実現する。
【００７９】
入力操作部４１３は、各種情報の入力やその訂正、リセットするためのもので、たとえば、図３に示した入力デバイス３０７によりその機能を実現する。
【００８０】
格納部４１４は、本発明を実現するための各種プログラムや各種データなどを格納する。格納部４１４は、たとえば、図３に示したＲＯＭ３０２、ＲＡＭ３０３などでその機能を実現する。
【００８１】
ナビゲーション処理部４１５は、周知のナビゲーション機能を実行する。この処理は、制御信号受信部４１１が親機１１１からの制御信号が途絶えたことを確認後、直ちに制御部４１２の制御により子機１１２の位置の検出を開始する。この処理は、制御信号受信部４１１が親機１１１からの制御信号の受信を確認するまで続ける。ナビゲーション処理部４１５は、たとえば、図３に示したＧＰＳユニット３１１や各種センサ３１２を用いて、ＣＰＵ３０１がＲＯＭ３０２などに格納されたナビゲーションプログラムを実行することによりその機能を実現する。
【００８２】
表示部４１６は、アイコン、カーソル、メニュー、ウインドウ、あるいは文字や画像などの各種データを表示する。表示部４１６は、たとえば、図３に示したディスプレイ３０９によりその機能を実現する。表示部４１６への画像等の表示処理は、制御部４１２が格納部４１４などに格納された所定のプログラムを実行することにより行われる。
【００８３】
作業情報生成処理部４１７は、所定の送信先へ送信するための作業情報を生成する。作業情報生成処理部４１７は、たとえば、表示部４１６に作業内容を選択するボタンなどを表示させ、当該ボタンなどが押下されたことが確認されると、ナビゲーション処理部４１５で得られた位置情報に、親機１１１側から送られた利用者詳細情報（作業員の名前、所属部署（営業所）、携帯電話番号、メールアドレス、利用する作業車情報（作業車ナンバなど）等の情報）を反映させるとともに、当該作業員の作業内容、作業の進捗情報（作業開始時刻、作業終了時刻、または作業中である等の情報）などを紐付けした情報を生成する。作業情報生成処理部４１７は、たとえば、図３に示したＣＰＵ３０１がＲＯＭ３０２などに格納されたプログラムを実行することによりその機能を実現する。
【００８４】
音声出力部４１８は、ナビゲーション処理部４１５によるナビゲーション処理が実行されたりするときに、作業員へ伝えるべき情報を音声で出力する。音声出力部４１８は、たとえば、図３に示したスピーカ３０６でその機能を実現する。
【００８５】
通信処理部４１９は、子機１１２とネットワークとの通信や、親機１１１との信号線の接続がなされた場合の通信を制御する。通信処理部４１９は、たとえば、図３に示した通信Ｉ／Ｆ３１０でその機能を実現する。
【００８６】
（作業情報送信処理の手順）
次に、本発明の情報端末における作業情報送信処理の手順について説明する。この処理は、図４に示した情報端末１１０によって行われる。ここでは、作業員が営業所から作業現場へ赴き、作業終了後に営業所へ帰所する例によって説明する。図５は、本発明の情報端末における作業情報送信処理の手順を示すフローチャートである。
【００８７】
図５において、まず、親機１１１と子機１１２とを接続し、子機１１２の作業情報送信端末としての機能を停止する（ステップＳ５０１）。親機１１１と子機１１２とが接続され、制御部４０１が、子機１１２との接続を検知すると、子機１１２に対して子機１１２の動作を制御するための制御信号を送信する。この制御信号は親機１１１が駆動している間、かつ子機１１２との接続が解除されていない間は、常に子機１１２に対して送信される。なお、親機１１１は、作業員が乗車する作業車に搭載されているもので、同乗する作業員全員が携帯する子機１１２を親機１１１に接続するものとする。そして、子機１１２の制御信号受信部４１１が、親機１１１から送信された制御信号を受信すると、制御部４１２が子機１１２における作業情報送信端末としての機能を停止する。なお、子機１１２は、作業情報送信端末としての機能が停止している間でも通常のスマートフォンとしての機能は停止しない。
【００８８】
親機１１１は、利用者詳細情報を取得する（ステップＳ５０２）。子機１１２との接続が開始されると、利用者詳細情報取得部４０３が、表示部４０６に利用する作業員を特定するための情報の入力を促す画面を表示する。
【００８９】
図６は、表示部４０６に表示される、情報入力画面の一例を示す図である。情報入力画面６００は、入力操作部４０２の機能も備えるもので、たとえば、作業員ＩＤ入力欄６０１、入力した情報を装置に認識させるための「ＯＫ」ボタン６０２、入力した情報を訂正・削除するための「リセット」ボタン６０３、休息中であることを伝える「休息」ボタン６０４、自車のナビゲーション結果を表示する「ナビ」ボタン６０５、当該画面からＩＤ情報を入力した作業員以外の作業員の作業情報を確認したい場合に押下する「他作業員情報」ボタン６０６、初期画面を表示するための「初期画面」ボタン６０７等から構成される。なお、図６に示した情報入力画面６００では、親機１１１に子機１１２が２台接続され、二人分の作業員ＩＤの入力が促されている様子を示している。
【００９０】
情報入力画面６００において、作業員ＩＤ入力欄６０１に同行する全員の作業員ＩＤを入力して、「ＯＫ」ボタン６０２を押下すると、当該作業員ＩＤが利用者詳細情報取得部４０３へ送られる。なお、「休息」ボタン６０４は作業車で移動中に休息する場合に押下されるボタンであり、移動開始後に休息を入れる場合に押下されると休息中であることを示し、再度押下すると移動が再開されたことを示す。「ナビ」ボタン６０５は、後述のステップＳ５０３において実行されるナビゲーション処理の画面を表示させるためのボタンである。なお、ナビゲーション処理の画面に移行後も情報入力画面６００に戻すことができる。「初期画面」ボタン６０７は、通常のナビゲーション装置としての各種設定を行う際に表示される初期画面に戻すためのボタンである。「他作業員情報」ボタン６０６については、後述する。
【００９１】
利用者詳細情報取得部４０３は、情報入力画面６００で入力された作業員ＩＤを認識すると、当該作業員ＩＤに該当する作業員詳細情報を格納部４０４から読み出し、利用する作業員の名前、所属部署（営業所）、携帯電話番号、メールアドレス、利用する作業車情報（作業車ナンバなど）等の情報を取得する。なお、安全性向上の観点から、情報入力画面６００で入力された作業員ＩＤに該当する作業員情報が格納部４０４に格納されていない場合は、当該作業員は親機１１１の利用ができないようにすると好ましい。作業員ＩＤ入力欄６０１に入力する情報は、作業員のＩＤに代え、指紋をはじめとする作業員の生体情報などを用いるようにしてもよい。また、ＩＤを直接入力する方式に代え、ＩＤ情報が記憶されたカード類を読取手段に挿入する方式を採用することもできる。
【００９２】
また、ここで取得された作業員詳細情報は、該当する携帯電話番号、メールアドレスの子機１１２へ送信される。以降、特定された作業員は、後述する入力情報解除処理を行うまでは、親機１１１が電源断となった場合でも、子機１１２との接続が解除された場合でも、有効であるものとする。
【００９３】
次に、親機１１１においてナビゲーション処理を実行する（ステップＳ５０３）。この処理は、周知のナビゲーション処理であり、ナビゲーション処理部４０５が実行する。
【００９４】
続いて、位置情報を生成・送信する（ステップＳ５０４）。ここでは、位置情報生成処理部４０７が、たとえば、ステップＳ５０３で得られた位置情報に、ステップＳ５０２で取得された作業員の名前、所属部署（営業所）、携帯電話番号、メールアドレス、利用する作業車情報（作業車ナンバなど）等の情報、送信元を示す情報（送信元メールアドレス等）を紐付けした情報を生成する。途中、情報入力画面６００で「休息」ボタン６０４が押下された場合は、休息中を示すマーク等も付加した情報が生成される。生成された情報は、通信処理部４０９により、予め定められている送信先メールアドレス（格納部４０４に格納されている）へ送信される。なお、作業車が移動している間はその軌跡は随時トレースされるため、ステップＳ５０４の処理は、後述する子機１１２との接続が解除されるまで継続される。
【００９５】
続いて、親機１１１と子機１１２との接続が解除されたか否かを判定する（ステップＳ５０５）。ここおいて、接続の解除とは、単に子機１１２が外された場合のみならず、親機１１１と子機１１２とが接続中であっても親機１１１の動作が停止した場合を含む。そこで、この処理は、まず、第１に、親機１１１の動作中に子機１１２が外される場合を考慮し、親機１１１側の制御部４０１が子機１１２との接続が解除されたか否かを検知することにより判定される。また、第２に、子機１１２が外された場合はもちろん、親機１１１は作業車に搭載されていることから、作業車のエンジンが停止した場合は同時に親機１１１も電源断となり制御信号の送信が止まるので、子機１１２側の制御信号受信部４１１が親機１１１からの制御信号を受信しているか否かを検知することによっても判定される。
【００９６】
ステップＳ５０５において親機１１１と子機１１２とが接続中である場合（ステップS５０５：Ｎｏ）は、ステップＳ５０４へ戻る。一方、ステップＳ５０５において親機１１１と子機１１２との接続が解除された場合（ステップＳ５０５：Ｙｅｓ）は、親機１１１の動作を停止する（ステップＳ５０６）。親機１１１の動作中に、子機１１２が外された場合は、親機側の制御部４０１が親機１１１の電源を切断する。なお、前述のように、親機１１１が電源となった場合は、親機１１１は自然に動作停止となる。
【００９７】
次に、子機１１２が停止された機能を回復する（ステップＳ５０７）。ここでは、制御信号受信部４１１が前述の制御信号の切断を検知した場合、制御部４１２が子機１１２の停止した機能を回復する。
【００９８】
次に、子機１１２においてナビゲーション処理を開始する（ステップＳ５０８）。この処理は、制御信号受信部４１１が前述の制御信号の切断を検知した後、制御部４１２がナビゲーション処理部４１５を起動させることにより、ナビゲーション処理部４１５で実行される。この処理は、周知のナビゲーション処理である。
【００９９】
作業情報を生成・送信する（ステップＳ５０９）。この処理では、まず、作業情報生成処理部４１７が、表示部４１６にたとえば作業情報入力画面を表示させる。
【０１００】
図７は、表示部４１６に表示される、作業情報入力画面の一例を示す図である。作業情報入力画面７００は、入力操作部４１３の機能も備えるもので、「作業内容選択」欄７０１、入力した情報を装置に認識させるための「ＯＫ」ボタン７０２、入力した情報を訂正・解除するための「リセット」ボタン７０３、休息中であることを伝える「休息」ボタン７０４、自機のナビゲーション結果を表示する「ナビ」ボタン７０５、当該子機１１２の携帯者以外の作業員の作業情報を確認したい場合に押下する「他作業員情報」ボタン７０６、全作業の終了を伝えるための「終了」ボタン７０７、初期画面を表示するための「初期画面」ボタン７０８等から構成される。また、「作業内容選択」欄７０１は、通常行われている典型的な作業内容を選択するための「作業内容」欄７０１ａと、まれに行う非典型的な作業内容を実行するときや障害発生時等に連絡すべき内容を入力するための「特記事項」欄７０１ｂとからなる。
【０１０１】
作業情報入力画面７００において、「作業内容選択」欄７０１に該当する作業内容を選択あるいは入力して、「ＯＫ」ボタン７０２を押下すると、選択した作業内容が作業情報生成処理部４１７へ送られる。なお、「ナビ」ボタン７０５はステップＳ５０８において実行される子機１１２の現在位置等を示すナビゲーション画面を表示させるためのボタンである。「休息」ボタン７０４は、作業中などに休息を入れる場合に押下されるもので、最初に押下されると休息中であることを示し、再度押下すると作業が再開されたことを示す。先に選択された内容を変更する場合は、作業情報入力画面７００において先の選択内容とは異なるボタンを押下するものとする。いずれかのボタンが押下された後、他のボタンが押下されない場合は、先に押下されたボタンが示す作業内容等に変更がないことを示す。「終了」ボタン７０７は、すべての作業の終了を伝えるときに押下されるボタンである。「初期画面」ボタン７０８は、通常のスマートフォンとして機能するときに表示される初期画面に戻すためのボタンである。「他作業員情報」ボタン７０６については、後述する。
【０１０２】
作業情報生成処理部４１７は、ステップＳ５０８で得られた位置情報に、ステップＳ５０２で取得された利用者詳細情報（利用する作業員の名前、所属部署（営業所）、携帯電話番号、メールアドレス、利用する作業車情報（作業車ナンバなど）等）を反映させるとともに、図７の作業情報入力画面７００において入力された作業内容、送信元を示す情報（送信元メールアドレス等）を紐付けした情報を生成する。ここで、生成される作業情報には、現在の位置情報、作業員の名前、所属部署（営業所）、携帯電話番号、メールアドレス、利用する作業車情報（作業車ナンバなど）、作業内容、作業開始時刻が含まれている。なお、作業開始時刻は、作業情報入力画面７００において、作業内容選択後の「ＯＫ」ボタン７０２が押下された時刻となる。ここで生成された作業情報は、通信処理部４１９により、予め定められている送信先メールアドレス（格納部４１４に格納されている）へ送信される。
【０１０３】
次に、作業情報が更新されたか否かを判定する（ステップＳ５１０）。作業情報が更新されるとは、最初に行われたステップＳ５０９の処理後に新たな情報が図７の作業情報入力画面７００から入力されたことを意味する。ここで、更新情報とは、たとえば、他の作業を開始、障害発生、または休息中である等である。また、更新情報は、主に作業内容が考えられるが、作業範囲が広く移動することがある場合は移動後の位置情報も更新情報に含む。この処理は、作業情報生成処理部４１７が実行する。
【０１０４】
ステップＳ５１０において作業情報が更新されていない場合（ステップＳ５１０：Ｎｏ）は、ステップＳ５０９へ戻る。一方、作業情報に更新が生じた場合（ステップＳ５１０：Ｙｅｓ）は、作業終了か否かを判定する（ステップＳ５１１）。ここで、作業終了情報は、図７の作業情報入力画面７００において「終了」ボタン７０７が押下された場合に生成される情報で、ステップＳ５０９において先に生成された作業情報の作業内容の項目を作業終了に書き換えたものである。この処理は、作業情報生成処理部４１７が実行する。
【０１０５】
ステップＳ５１１において更新された情報が作業終了でない場合は（ステップＳ５１１：Ｎｏ）は、ステップＳ５０９へ戻る。一方、ステップＳ５１１において更新された情報が作業終了である場合は（ステップＳ５１１：Ｙｅｓ）は、再度、親機１１１と子機１１２とを接続し、子機１１２の作業情報送信端末としての機能を停止する（ステップＳ５１２）。この処理は、ステップＳ５０１と同様である。すべての作業が終了した後は、作業員は作業車に戻り、移動するため、位置情報を親機１１１から送信すべく、ステップＳ５０１と同様の処理を実行する。
【０１０６】
次に、親機１１１においてナビゲーション処理を実行する（ステップＳ５１３）。この処理は、ステップＳ５０３と同様である。
【０１０７】
次に、位置情報を生成・送信する（ステップＳ５１４）。この処理は、ステップＳ５０４と同様である。前述のように、ステップＳ５０２による利用者詳細情報取得処理は、作業員ＩＤが親機１１１からの処理で解除されない内は有効に働くので、再度行わなくてもよい。
【０１０８】
最後に、利用者を特定する情報が解除されたか否かを判定する（ステップＳ５１５）。この判定は、ステップＳ５０２で入力された作業員ＩＤの解除が行われたか否かを親機１１１の利用者詳細情報取得部４０３が判定する。作業員ＩＤの解除は、図６の情報入力画面６００において、「リセット」ボタン６０３を押下することにより、作業員ＩＤ入力欄６０１に入力されている作業員ＩＤが削除されることで終了する。このようにすることにより、ステップＳ５０２により利用者詳細情報取得部４０３で取得された、作業員詳細情報（作業員の名前、所属部署（営業所）、携帯電話番号、メールアドレス、利用する作業車情報（作業車ナンバなど）等）が削除される。同時に、子機１１２の作業情報生成処理部４１７が取得した作業員詳細情報も削除される。作業員ＩＤの解除は、すべて予定された作業の終了後、営業所に帰所した時点で行われる。
【０１０９】
ステップＳ５１５において利用者を特定する情報の解除が行われていない場合は（ステップＳ５１５：Ｎｏ）は、まだ営業所に到着していないので、ステップＳ５１４へ戻る。一方、ステップＳ５１５において利用者を特定する情報の解除が行われた場合は（ステップＳ５１５：Ｙｅｓ）は、営業所に帰所したので、すべての処理が終了する。
【０１１０】
以上説明したように、本発明にかかる情報端末を作業情報送信端末として用いれば、逐次各作業員の現在位置および現在の作業内容、作業の進捗状況を含む作業情報を予め定められた送信先メールアドレス（当該情報を必要としている宛先）へ的確に送信することができる。しかも、同一作業員の情報を有する親機１１１と子機１１２とから重複する情報の送信はなく、作業員が作業車に搭乗中は作業車に搭載された親機１１１から、作業車から離れたときは作業員が携帯する子機１１２から連動して送信されるので、特別な設定や切替えを行わずとも、見やすく簡潔な内容の情報を送信することができ、効率的である。
【０１１１】
（作業情報受信端末として使用する場合の機能的構成）
次に、親機１１１と子機１１２とにより構成された情報端末１１０を作業情報受信端末として使用する場合の機能的構成について説明する。この作業情報受信端末は、離れた現場にいる他の作業員が携帯する、情報端末１１０から送られてきた作業情報を受信するためのものである。図８は、本発明にかかる情報端末を作業情報受信端末として使用する場合の機能的構成を示すブロック図である。以下では、図４に示した情報端末を構成する各機能部と同様の機能を有するものには、同じ符号を付し、説明は省略する。
【０１１２】
まず、作業情報受信端末として使用する場合の親機１１１の機能的構成を説明する。親機１１１を作業情報受信端末として使用する場合は、図４に示された構成に加え、作業情報受信確認部８０１と、作業情報表示制御部８０２を備える。
【０１１３】
作業情報受信確認部８０１は、他の作業員が操作した情報端末１１０からの作業情報受信の存否を判定し、作業情報を受信した場合は、当該作業情報を作業情報表示制御部８０２へ送る。作業情報受信確認部８０１は、たとえば、図２に示したＣＰＵ２０１がＲＯＭ２０２等に格納されている所定のプログラムを実行することでその機能を実現することができる。
【０１１４】
作業情報表示制御部８０２は、作業情報受信確認部８０１から受け取った作業情報をその内容にしたがって表示部４０６に表示する処理を行う。たとえば、作業情報表示制御部８０２は、受信した作業情報に含まれる位置情報に対応する地図情報を格納部４０４から読み出す。そして、送信元を示す情報（送信元メールアドレス等）により送信元を判定し、作業員の状態を分かりやすく表示する。作業情報表示制御部８０２は、たとえば、図２に示したＣＰＵ２０１がＲＯＭ２０２等に格納されている所定のプログラムを実行することでその機能を実現することができる。
【０１１５】
次に、作業情報受信端末として使用する場合の子機１１２の機能的構成を説明する。子機１１２を作業情報受信端末として使用する場合は、図４に示された構成に加え、作業情報受信確認部８０３と、作業情報表示制御部８０４を備える。
【０１１６】
作業情報受信確認部８０３は、他の作業員が操作した情報端末１１０からの作業情報受信の存否を判定し、作業情報を受信した場合は、当該作業情報を作業情報表示制御部８０４へ送る。作業情報受信確認部８０３は、たとえば、図３に示したＣＰＵ３０１がＲＯＭ３０２等に格納されている所定のプログラムを実行することでその機能を実現することができる。
【０１１７】
作業情報表示制御部８０４は、作業情報受信確認部８０３から受け取った作業情報をその内容にしたがって表示部４１６に表示する処理を行う。たとえば、作業情報表示制御部８０４は、受信した作業情報に含まれる位置情報に対応する地図情報を格納部４１４から読み出す。そして、送信元を示す情報（送信元メールアドレス等）により送信元を判定し、作業員の状態を分かりやすく表示する。作業情報表示制御部８０４は、たとえば、図３に示したＣＰＵ３０１がＲＯＭ３０２等に格納されている所定のプログラムを実行することでその機能を実現することができる。
【０１１８】
（作業情報受信処理の手順）
次に、本発明の情報端末における作業情報受信処理の手順について説明する。この処理は、図８に示した作業情報送信端末によって行われる。作業情報受信処理は、親機１１１と子機１１２が接続状態である場合は親機１１１が、親機１１１と子機１１２が接続解除状態である場合は子機１１２が行う。ここでは、作業員が営業所から作業現場へ赴き、作業終了後に営業所へ帰所するまでのルートで行われるものである。
【０１１９】
作業情報受信処理は、図５に示したフローチャートにおいて、ステップＳ５０２〜ステップＳ５０５までの間、ステップＳ５０７〜ステップＳ５１２の間、ステップＳ５１２〜ステップＳ５１４の間に、当該処理と平行して実行される。当該処理の間は任意のタイミングで実行することが可能である。なお、ステップＳ５０２〜ステップＳ５０５の間、およびステップＳ５１２〜ステップＳ５１４の間は、親機１１１側で実行される。また、ステップＳ５０７〜ステップＳ５１２の間は、子機１１２で実行される。
【０１２０】
まず、図９は、本発明の情報端末における作業情報受信処理の手順を示すフローチャートである。以下では図５に示したものに加えられる処理のみを説明する。まず、ステップＳ５０２〜ステップＳ５０５の間、およびステップＳ５１２〜ステップＳ５１４の間の処理と平行して行われる作業情報受信処理の手順を説明する。
【０１２１】
図９において、まず、作業情報を受信したか否かを判定する（ステップＳ９０１）。この処理は、親機１１１側の作業情報受信確認部８０１が実行する。
【０１２２】
ステップＳ９０１において作業情報を受信していない場合（ステップＳ９０１：Ｎｏ）は、ステップＳ９０１へ戻る。一方、ステップＳ９０１において作業情報を受信した場合（ステップＳ９０１：Ｙｅｓ）は、当該作業員の作業情報を表示する（ステップＳ９０２）。この処理は、親機１１１側の作業情報表示制御部８０２が実行する。
【０１２３】
たとえば、ナビゲーション画面からステップＳ５０３において表示される図６の情報入力画面６００に変えて、「他作業員情報」ボタン６０６が押下されると、作業情報表示制御部８０２の処理により、まず受信した作業情報に含まれる位置情報に対応する地図情報が格納部４０４から読み出される。続いて、この地図情報に作業情報（離れた現場にいる他の作業員の情報）が重ね合されて表示部４０６に表示される。このとき、作業情報表示制御部８０２は、送信元を示す情報（送信元メールアドレス等）により送信元を判定し、作業員の状態を分かりやすく表示する。
【０１２４】
たとえば、作業情報表示制御部８０２は、他の作業員が搭乗中の作業車に搭載された親機１１１から受信した情報は地図上の該当位置に「車両」マークを付して当該作業員情報を表示する。また、他の作業員が携帯する子機１１２から受信した情報は地図上の該当位置に「人」マークを示すとともに当該作業員情報に表示する。
【０１２５】
図１０は、表示される作業情報画面の一例を示す図である。図１０（ａ）は作業員の位置情報を示す図、同図（ｂ）は作業員の作業内容を示す図である。図１０（ａ）に示すように、作業情報画面１０００では、まず、情報Ａ，Ｂ，Ｃが示される。情報Ａ，Ｂは、作業情報表示制御部８０２が作業車に搭載された親機１１１から受信した情報と判定し、地図上の該当位置に「車両」マークを付して表示した例を示す。たとえば、情報Ａでは、１号車で「山田さん」と「田中さん」が移動中であることを示している。また、情報Ｃは、作業情報表示制御部８０２が、作業員が携帯する子機１１２から受信した情報と判定し、地図上の該当位置に「人」マークを示すとともに当該作業員情報を表示した例を示す。たとえば、情報Ｃでは、「渡辺さん」が作業中であることを示している。
【０１２６】
そして、閲覧者が、画面の情報Ｃの表示箇所を入力操作部４０２の処理でタッチすると、図１０（ｂ）に示すように、情報Ｃの近傍に当該作業員の作業内容、作業の進捗状況（作業開始、終了の時刻、休憩中か否かなど）、作業場所情報、連絡先等が表示される。なお、作業の進捗状況において開始時刻のみが表示される場合は、作業中であることを意味する。
【０１２７】
なお、ここでは特に示していないが、作業情報画面１０００において、所定時間表示後に先に表示されていた画面（たとえば、図６に示した情報入力画面６００等）に自動的に戻るように設定してもよいし、他画面に移行させるボタンを表示するようにしてもよい。
【０１２８】
次に、図５のステップＳ５０７〜ステップＳ５１２の間の処理と平行して行われる作業情報受信処理の手順を説明する。この処理は、子機１１２側で行われる。上記と同様に、まず、作業情報を受信したか否かを判定する（ステップＳ９０１）。この処理は、作業情報受信確認部８０３が実行する。
【０１２９】
ステップＳ９０１において作業情報を受信していない場合（ステップＳ９０１：Ｎｏ）は、ステップＳ９０１へ戻る。一方、ステップＳ９０１において作業情報を受信した場合（ステップＳ９０１：Ｙｅｓ）は、当該作業員の作業情報を表示する（ステップＳ９０２）。この処理は、作業情報表示制御部８０４が実行する。
【０１３０】
たとえば、ステップＳ５０８において表示される図７の作業情報入力画面７００に移行した後、「他作業員情報」ボタン７０６が押下されると、作業情報表示制御部８０４の処理により、まず受信した作業情報に含まれる位置情報に対応する地図情報が格納部４１４から読み出される。続いて、この地図情報に作業情報（離れた現場にいる他の作業員の情報）が重ね合されて表示部４１６に表示される。このとき、作業情報表示制御部８０４は、送信元を示す情報（送信元メールアドレス等）により送信元を判定し、作業員の状態を分かりやすく表示する。
【０１３１】
たとえば、作業情報表示制御部８０４は、上記と同様に、他の作業員が搭乗中の作業車に搭載された親機１１１から受信した情報は地図上の該当位置に「車両」マークを付して当該作業員情報を表示する。また、他の作業員が携帯する子機１１２から受信した情報は地図上の該当位置に「人」マークを示すとともに当該作業員情報に表示する。このとき、表示される情報は、図１０に示した作業情報画面１０００と同様であるので、ここでの説明は省略する。
【０１３２】
以上説明したように、本発明にかかる情報端末によれば、離れた現場にいる他の作業員の情報端末から送られた各作業員の現在位置および現在の作業内容、作業の進捗状況を含む作業情報を逐次閲覧することができる。しかも、この作業情報は、各作業員の現在位置とともに、当該作業員が作業車に搭乗中であるか作業中であるかを一目で判断できるような形式で閲覧することができるので、容易に他の作業員の状況を把握することができる。よって、作業の遅れや緊急事態が発生した場合など、手のあいた近隣の作業員を問題発生現場に臨機応変に派遣することも可能になり、営業所全体の作業効率を向上させることができる。
【０１３３】
（ホストコンピュータ１２０のハードウェア構成）
次に、図１に示したホストコンピュータ１２０のハードウェア構成について説明する。このホストコンピュータ１２０は、前述した情報端末１１０から送信された作業情報を閲覧する機能を有する作業情報管理装置としての役割を担う。
【０１３４】
図１１は、ホストコンピュータ１２０（作業情報管理装置）のハードウェア構成例を示す図である。図１１において、ホストコンピュータ１２０は、ＣＰＵ１１０１と、ＲＯＭ１１０２と、ＲＡＭ１１０３と、ＨＤＤ（ハードディスクドライブ）１１０４と、ＨＤ（ハードディスク）１１０５と、ＤＶＤ−ＲＷドライブ１１０６と、ＤＶＤ−ＲＷ１１０７と、音声Ｉ／Ｆ１１０８と、マイク１１０９と、スピーカ１１１０と、入力デバイス１１１１と、映像Ｉ／Ｆ１１１２と、ディスプレイ１１１３と、通信Ｉ／Ｆ１１１４と、を備えている。なお、各構成部１１０１〜１１１４はバス１１２０によってそれぞれ接続されている。
【０１３５】
まず、ＣＰＵ１１０１は、ホストコンピュータ１２０の全体の制御を司り、本発明を実現するための各種プログラムを実行する。ＲＯＭ１１０２は、たとえばブートプログラム、地図情報表示プログラム、通信プログラム、データベース作成プログラム、データ解析プログラムなどの各種プログラムを記録している。
【０１３６】
地図情報表示プログラムは、映像Ｉ／Ｆ１１１２によってディスプレイ１１１３に表示する後述のＨＤ１１０５などに記憶されている地図情報の表示形式を決定させ、決定された表示形式によって地図情報をディスプレイ１１１３に表示させる。
【０１３７】
ＲＡＭ１１０３は、たとえばＣＰＵ１１０１のワークエリアとして使用される。ＨＤＤ１１０４は、ＣＰＵ１１０１の制御にしたがってＨＤ１１０５に対するデータのリード／ライトを制御する。ＨＤ１１０５は、ＨＤＤ１１０４の制御で書き込まれたデータを記録する。
【０１３８】
ＤＶＤ−ＲＷドライブ１１０６は、ＣＰＵ１１０１の制御にしたがってＤＶＤ−ＲＷ１１０７に対するデータのリード／ライトを制御する。ＤＶＤ−ＲＷ１１０７は、ＤＶＤ−ＲＷドライブ１１０６の制御にしたがってＤＶＤ−ＲＷ１１０７からデータの読み出される着脱自在な記録媒体である。また、着脱可能な記録媒体として、ＤＶＤ−ＲＷ１１０７のほか、ＣＤ−ＲＷやメモリカードなどを用いることもできる。
【０１３９】
これらＨＤ１１０５、ＤＶＤ−ＲＷ１１０７に記録される情報の一例として、上述した作業情報送信端末から送信された各種作業員情報などが挙げられる。また、地図情報を記録してもよい。地図情報は、建物、河川、地表面などの地物（フィーチャ）を表す背景データと、道路の形状を表す道路形状データとを含み、ディスプレイ１１１３の表示画面において２次元または３次元に描画される。
【０１４０】
道路形状データは、さらに交通条件データを有する。交通条件データには、たとえば、各ノードについて、信号や横断歩道などの有無、高速道路の出入口やジャンクションの有無、各リンクについての長さ（距離）、道幅、進行方向、道路種別（高速道路、有料道路、一般道路など）などの情報が含まれている。
【０１４１】
また、音声Ｉ／Ｆ１１０８は、音声入力用のマイク１１０９および音声出力用のスピーカ１１１０に接続される。マイク１１０９に受音された音声は、音声Ｉ／Ｆ１１０８内でＡ／Ｄ変換される。スピーカ１１１０からは、音声Ｉ／Ｆ１１０８からの音声信号に基づく音声が出力される。また、マイク１１０９から入力された音声は、たとえば音声データとしてＨＤ１１０５、ＤＶＤ−ＲＷ１１０７に記録可能である。
【０１４２】
入力デバイス１１１１は、文字、数値、各種指示などの入力のための複数のキーを備えたリモコン、キーボード、マウス、タッチパネルなどが挙げられる。
【０１４３】
また、映像Ｉ／Ｆ１１１２は、ディスプレイ１１１３と接続される。この映像Ｉ／Ｆ１１１２は、具体的には、たとえば、ディスプレイ１１１３全体の制御を行うグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ１１１３を表示制御する制御ＩＣなどによって構成される。
【０１４４】
ディスプレイ１１１３には、アイコン、カーソル、メニュー、ウインドウ、あるいは文字や画像などの各種データが表示される。このディスプレイ１１１３としては、たとえば、ＴＦＴ液晶ディスプレイ、有機ＥＬディスプレイなどを採用することができる。
【０１４５】
また、通信Ｉ／Ｆ１１１４は、ネットワークに接続され、ホストコンピュータ１２０とＣＰＵ１１０１とのインターフェースとして機能する。通信Ｉ／Ｆ１１１４は、さらに、無線を介してインターネットなどの通信網に接続され、この通信網とＣＰＵ１１０１とのインターフェースとしても機能する。ネットワークには、インターネット、ＬＡＮ、ＷＡＮ、公衆回線網などがある。
【０１４６】
（ホストコンピュータ１２０の機能的構成）
次に、本発明にかかる情報端末から送信された作業情報を受信するホストコンピュータ１２０の機能的構成について説明する。ホストコンピュータ１２０は、前述の情報端末１１０から送られてきた作業情報を受信して、営業所から離れている全作業員の位置、作業内容、作業の進捗状況などを把握して管理するためのものである。ホストコンピュータ１２０は、営業所に置かれる。図１２は、本発明にかかる情報端末から送信された作業情報を受信するホストコンピュータ１２０の機能的構成を示すブロック図である。
【０１４７】
作業情報管理装置（ホストコンピュータ１２０）は、制御部１２０１と、入力操作部１２０２と、格納部１２０３と、作業情報受信確認部１２０４と、作業情報表示制御部１２０５と、表示部１２０６と、通信処理部１２０７と、を備えている。
【０１４８】
制御部１２０１は、ホストコンピュータ１２０の全体を制御する。制御部１２０１は、たとえば、図１１に示したＣＰＵ１１０１がＲＯＭ１１０２等に格納されたプログラムを実行することによりその機能を実現する。
【０１４９】
入力操作部１２０２は、各種情報の入力やその訂正、リセットするためのもので、たとえば、図１１に示した入力デバイス１１１１によりその機能を実現する。
【０１５０】
格納部１２０３は、本発明を実現するための各種プログラムや各種データなどを格納する。格納部１２０３は、たとえば、図１１に示したＲＯＭ１１０２、ＲＡＭ１１０３、ＨＤＤ１１０４、ＨＤ１１０５、ＤＶＤ−ＲＷドライブ１１０６、ＤＶＤ−ＲＷ１１０７などでその機能を実現する。
【０１５１】
作業情報受信確認部１２０４は、他の作業員が操作した作業情報送信端末からの作業情報受信の存否を判定し、作業情報を受信した場合は、当該作業情報を作業情報表示制御部１２０５へ送る。作業情報受信確認部１２０４は、たとえば、図１１に示したＣＰＵ１１０１がＲＯＭ１１０２等に格納されている所定のプログラムを実行することでその機能を実現することができる。
【０１５２】
作業情報表示制御部１２０５は、作業情報受信確認部１２０４から受け取った作業情報をその内容にしたがって表示部１２０６に表示する処理を行う。たとえば、作業情報表示制御部１２０５は、受信した作業情報に含まれる位置情報に対応する地図情報を格納部１２０３から読み出す。そして、送信元を示す情報（送信元メールアドレス等）により送信元を判定し、作業員の状態を分かりやすく表示する。作業情報表示制御部１２０５は、たとえば、図１１に示したＣＰＵ１１０１がＲＯＭ１１０２等に格納されている所定のプログラムを実行することでその機能を実現することができる。
【０１５３】
表示部１２０６は、アイコン、カーソル、メニュー、ウインドウ、あるいは文字や画像などの各種データを表示する。表示部１２０６は、たとえば、図１１に示したディスプレイ１１１３によりその機能を実現する。表示部１２０６への画像等の表示処理は、制御部１２０１が格納部１２０３に格納された所定のプログラムを実行することにより行われる。
【０１５４】
通信処理部１２０７は、ホストコンピュータ１２０とネットワークとの通信を制御する。通信処理部１２０７は、たとえば、図１１に示した通信Ｉ／Ｆ１１１４でその機能を実現する。
【０１５５】
（作業情報の受信処理の手順）
次に、本発明の情報端末から送信された作業情報を図１２に示したホストコンピュータ１２０（作業情報管理装置）で受信する手順について説明する。この処理も図９に示したフローチャートの手順と同様であるため、以下では図９を参照しながら説明する。
【０１５６】
図９において、まず、作業情報を受信したか否かを確認する（ステップＳ９０１）。この処理は、作業情報受信確認部１２０４が行う。
【０１５７】
ステップＳ９０１において作業情報を受信していない場合（ステップＳ９０１：Ｎｏ）は、再度ステップＳ９０１の処理を実行する。
【０１５８】
一方、ステップＳ９０１において作業情報を受信した場合（ステップＳ９０１：Ｙｅｓ）は、当該作業員の作業情報を表示する（ステップＳ９０２）。ここでは、作業情報表示制御部１２０５の処理により、まず受信した作業情報に含まれる位置情報に対応する地図情報を格納部１２０３から読み出す。続いて、この地図情報に作業情報（営業所を離れている全作業員の作業員の情報）が重ね合されて表示部１２０６に表示される。このとき、作業情報表示制御部１２０５は、送信元を示す情報（送信元メールアドレス等）により送信元を判定し、作業員の状態を分かりやすく表示する。
【０１５９】
たとえば、作業情報表示制御部１２０５は、作業員が搭乗中の作業車に搭載された親機１１１から受信した情報は地図上の該当位置に「車両」マークを付して当該作業員情報を表示する。また、作業員が携帯する子機１１２から受信した情報は地図上の該当位置に「人」マークを示すとともに当該作業員情報に表示する。このとき、表示される作業情報画面は、図１０に示した作業情報画面１０００と同様であるため、説明は省略する。
【０１６０】
以上説明したように、本発明によれば、営業所に置かれるホストコンピュータ１２０においても、前述した情報端末１１０から送られた各作業員の現在位置および現在の作業内容、作業の進捗状況を含む作業情報を逐次閲覧することができる。しかも、この作業情報は、各作業員の現在位置とともに、当該作業員が作業車に搭乗中であるか作業中であるかを一目で判断できるような形式で閲覧することができるので、容易に他の作業員の状況を把握することができる。特に、作業の遅れや緊急事態が発生した場合などに、問題発生現場の近隣の作業員に対して適切な対応方法を伝えることで、柔軟な対応が可能となり、営業所全体の作業効率を向上させることができる。
【０１６１】
以上説明したように、本発明は、通常時は各作業者の進捗管理をおこない、事故発生時などの緊急時は各作業者の作業内容や進捗、現在位置などを加味して事故対応に適した作業員を営業所の指揮管理者が決定することができ、コンピュータによって一律に決定する場合と比較して状況に応じた人員配置を行って、作業の効率化を図ることができる。
【０１６２】
また、本発明は、各作業員が、他の作業員の作業の進捗や現在位置を把握できるようにすることで、応援が必要な場合に応援に適した近隣の作業員を迅速に特定することができ、作業の効率化を図ることができる。特に、緊急に作業の応援を依頼したい場合など、営業所に在所する作業管理者を介することなく作業員同士でも調整することができ、作業効率のより一層の向上を図ることができる。
【０１６３】
なお、上述した作業情報送信方法、作業情報受信方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【０１６４】
以上のように、本発明は、営業所から離れた各作業員の位置、作業内容、作業の進捗状況などを逐次正確に管理することができ、営業所全体の作業効率の向上を図ることができる。
【符号の説明】
【０１６５】
１００  ネットワーク
１１０  情報端末
１１１  親機
１１２  子機
１２０  ホストコンピュータ
４０１，４１２，１２０１  制御部
４０２，４１３，１２０２  入力操作部
４０３  利用者詳細情報取得部
４０４，４１４，１２０３  格納部
４０５，４１５  ナビゲーション処理部
４０６，４１６，１２０６  表示部
４０７  位置情報生成処理部
４０８，４１８  音声出力部
４０９，４１９，１２０７  通信処理部
４１１  制御信号受信部
４１７  作業情報生成処理部
８０１，８０３，１２０４  作業情報受信確認部
８０２，８０４，１２０５  作業情報表示制御部
【図１】
2020009019.tif 000003
【図２】
2020009019.tif 000004
【図３】
2020009019.tif 000005
【図４】
2020009019.tif 000006
【図５】
2020009019.tif 000007
【図６】
2020009019.tif 000008
【図７】
2020009019.tif 000009
【図８】
2020009019.tif 000010
【図９】
2020009019.tif 000011
【図１０】
2020009019.tif 000012
【図１１】
2020009019.tif 000013
【図１２】
2020009019.tif 000014